(57)【要約】【課題】使用者がブラジャーを装着した状態で、後ろ身頃部の使用者の肌に対する肌当たりを良くし、後ろ身頃部は使用者の肌に対して面状でサポートすることで、サポート力を向上させつつ、外観上、目立たなくすることができるブラジャーを提供することを提供する。【解決手段】乳首を含む乳房を覆うための左右のカップ部２０と、少なくとも、左右のカップ部の外側縁部側に取り付けられて背中側で長さが調整可能で着脱可能になっている左右の後ろ身頃部２４と、を有するブラジャーにおいて、後ろ身頃部２４は、少なくとも一辺が縁処理不要な部分を有する伸縮性素材からなる第１層部１２１と、第１層部１２１より大きい伸縮性を有する第２層部１２２と、を積層して構成されており、少なくとも一方の端部において、第１層部の縁処理不要な部分１２６が、第２層部の端部１２２Ｂよりも外方に延伸されている。【選択図】図３
2006144181.tif 000002
【特許請求の範囲】
【請求項１】
乳房を覆うための左右のカップ部と、
前記左右のカップ部の外側縁部側に取り付けられて背中側で長さが調整可能で着脱可能になっている左右の後ろ身頃部と、
を有するブラジャーにおいて、
前記後ろ身頃部は、
少なくとも一辺が縁処理不要な部分を有する伸縮性素材からなる第１層部と、
前記第１層部より大きい伸縮性を有する第２層部と、を積層して構成されており、
少なくとも一方の端部において、前記第１層部の前記縁処理不要な部分が、前記第２層部の端部よりも外方に延伸されていることを特徴とするブラジャー。
【請求項２】
前記第１層部の前記縁処理不要な部分は、前記第２層部の下端部よりも下方に向かって延伸されており、前記後ろ身頃部における前記第１層部は、中央部から前記縁処理不要な部分に向かうに従って強度が大きくなっていることを特徴とする請求項１に記載のブラジャー。
【請求項３】
前記後ろ身頃部の上部に比べて下部の衣服圧が強くなっており、前記第２層部は前記後ろ身頃部の前記下部の途中まで配置されていることを特徴とする請求項１または請求項２に記載のブラジャー。
【発明の詳細な説明】
【技術分野】
【０００１】
本発明は、女性の乳房を保持する下着としてのブラジャーであって、特にブラジャーの上から衣類を着用した際に、外観上、目立たない構成とされると共に、使用者の身体への負担を低減したブラジャーに関する。
【背景技術】
【０００２】
ブラジャーは、使用者の乳房を保持しながら使用者が肌触りよく快適に装着でき、しかも、外観から目立たずに着用するものが望まれている。
そこで、後ろ身頃等に様々な材質を採用することでフィット性を高めたものや、裁断後における処理が不用となるよう、あらかじめ縁の始末を行った所謂ヘミングレス材料などが使用されている。
また、使用者がブラジャーを装着している間、使用者の肌への跡つきによる不快感や部分的な圧迫による強い締め付け感を軽減するために、ブラジャーのバック部における衣服圧の関係が提案されているものがある（特許文献１）。
【特許文献１】特許第３１９９１６３号公報（第３頁、図７）
【発明の開示】
【発明が解決しようとする課題】
【０００３】
しかし、伸縮性を高めた素材を使用したブラジャーであっても、長時間における着用や、身体の動きに追随させる場合等において、適切なフィット感を与えることが困難であった。また、ヘミングレス材料を使用した場合、材料の有する特性の制限を受けることもあって、身体への圧力を適正に保持することが困難だった。
特許文献１に記載されているブラジャーでは、着用時における計測結果を踏まえ、バック部の上辺部、中央部、下辺部の衣服圧が、強、弱、中に設定されている。このために、バック部である後ろ身頃部の上辺部の衣服圧が下辺部や中央部に比べて強いために、バック部の上辺部に対応する使用者の体の部分に圧迫感が生じやすく、ヘミングレス材料を使用した場合でも、単層による構成では、使用者の着用感を高めるには限界があった。
【０００４】
そこで本発明は上記課題を解消し、使用者がブラジャーを装着した状態では、後ろ身頃部の使用者の肌に対する肌当たりを良くし、後ろ身頃部が使用者の肌に対して面状でサポートすることで、サポート力を向上させつつ、外観上、目立たなくすることができるブラジャーを提供することを目的としている。
【課題を解決するための手段】
【０００５】
上記目的は、第１の発明にあっては、乳房を覆うための左右のカップ部と、前記左右のカップ部の外側縁部側に取り付けられて背中側で長さが調整可能で着脱可能になっている左右の後ろ身頃部と、を有するブラジャーにおいて、前記後ろ身頃部は、少なくとも一辺が縁処理不要な部分を有する伸縮性素材からなる第１層部と、前記第１層部より大きい伸縮性を有する第２層部と、を積層して構成されており、少なくとも一方の端部において、前記第１層部の前記縁処理不要な部分が、前記第２層部の端部よりも外方に延伸されていることを特徴とする用ブラジャーにより、達成される。
【０００６】
第１の発明の構成によれば、後ろ身頃部の第１層部は、少なくとも一辺が縁処理不要な部分を有する伸縮性素材からなる。第２層部は、第１層部より大きい伸縮性を有する。この後ろ身頃部は、第１層部と第２層部を積層して構成されている。第１層部の縁処理不要な部分が、第２層部の端部よりも外方に延伸されている。
【０００７】
これにより、第１層部の縁処理不要な部分が第２層部の端部よりも外方に延伸されていることから、後ろ身頃部の一方の端部には縫い目が無い。このために使用者がブラジャーを装着した状態では、後ろ身頃部の端部が目立たない。しかも、第１層部の縁処理不要な部分は縫い目を有していないことから、後ろ身頃部の端部における使用者の肌当たりを良くすることができる。
そして、第１層部に対して、より伸縮性の大きい第２層部を重ねることで後ろ身頃部を構成することにより、ブラジャーを繰り返し使用した場合において第１層部が裂けてしまうことを第２層部が防止できると共に、引き伸ばした状態から戻る力が強い第２層部によって、使用者の乳房のサポート力を面状で向上させ、端部は目立たないにも係らず、確実に身体にフィットさせることができる。
【０００８】
第２の発明は、第１の発明の構成において、前記第１層部の前記縁処理不要な部分は、前記第２層部の下端部よりも下方に向かって延伸されており、前記後ろ身頃部における前記第１層部は、中央部から前記縁処理不要な部分に向かうに従って強度が大きくなっていることを特徴とする。
第２の発明の構成によれば、第１層部は、縁処理不要な部分が第２層部の下端部よりも下方に向かって延伸されると共に、中央部から前記縁処理不要な部分に向かうに従って強度が大きくなっている。
これにより、後ろ身頃部の下部側が縁処理不要な部分とされて、外観から目立たなく構成させると共に、第１層部の下方側が中央部に比べてサポートする力が大きくされており、伸縮性の大きな第２層部と組み合わせて使用されることで確実にホールドできる。
【０００９】
第３の発明は、第１の発明または第２の発明の構成において、前記後ろ身頃部の上部に比べて下部が強くなっており、前記第２層部は前記後ろ身頃部の前記下部の途中まで配置されていることを特徴とする。
【００１０】
第３の発明の構成によれば、後ろ身頃部の上部に比べて下部の衣服圧が強くなっており、第２層部は後ろ身頃部の下部の途中まで配置されている。
これにより、下側から確実に支えるために後ろ身頃部の下部は上部に比べて、伸縮性に伴う衣服圧が強くなっていて、後ろ身頃部の下部は上部に比べてより確実にサポートをすることができる。しかも、第２層部が後ろ身頃部の下部の途中まで配置されていることから、第１層部の縁処理不要な部分が直接肌に当たり、最も衣服圧が強い後ろ身頃部の下部の端部であっても、第１層部と第２層部とを縫い合わすための縫い目が無いので目立たなく、肌当たりを良くすることができる。
【発明の効果】
【００１１】
以上説明したように、本発明によれば、使用者がブラジャーを装着した状態では後ろ身頃部の使用者の肌に対する肌当たりを良くし、後ろ身頃部が使用者の肌に対して面状でサポートすることで、サポート力を向上させつつ、外観上、目立たなくすることができる。
【発明を実施するための最良の形態】
【００１２】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
図１は、本発明のブラジャーの好ましい実施形態を示している。図２は、図１のブラジャー１０の正面から見た展開図である。図１に示すブラジャー１０の一方のカップ部２０は、一例として左側のストラップ部２６の連結具１５０から取り外して、授乳可能な状態を示している。
【００１４】
図１と図２に示す授乳用ブラジャー１０は、妊娠、出産ないし授乳期における妊産婦の乳房の形状の変化に対応して乳房を保持しかつ保護しながら、乳房の形状を整えることができ、しかも授乳時に着用した状態のまま授乳をできるブラジャーである。
妊産婦は図では使用者Ｍと呼ぶ。使用者Ｍの左右の乳房１１，１１は、授乳用ブラジャー１０により保持および保護されるようになっている。
【００１５】
授乳用ブラジャー１０は、マタニティ用ブラジャーとも呼んでいる。この授乳用ブラジャー１０は、左右のカップ部２０，２０と、左右の後ろ身頃部２４，２４と、左右のストラップ部２６，２６を有している。
左右のカップ部２０，２０は、対応する乳首１１Ａ，１１Ａを含む乳房１１，１１を授乳時にそれぞれ露出可能に覆うためのものである。
図２に示すように、各後ろ身頃部２４は、各カップ部２０の外側縁部３１側に対して縫合により取り付けられ、両側縁に伸びるよう配置されている。
【００１６】
図２に示す右側の後ろ身頃部２４の裏面側の自由端側にはフック２５Ｂが設けられおり、左側の後ろ身頃部２５の表面側の自由端側には複数のループ２５Ａが設けられ、これらのループ２５Ａが、後ろ身頃部２４の長さ方向に関してたとえば４列程度設けられている。このフック２５Ｂが、いずれかの列のループ２５Ａに引っ掛かることにより、右側の後ろ身頃部２４と左側の後ろ身頃部２４は着脱可能に連結することができる。つまり、右側の後ろ身頃部２４と左側の後ろ身頃部２４の長さは、使用者（妊産婦ともいう）Mの体型や乳房の変化に応じて調整可能になっている。このループ２５Ａとフック２５Ｂは、後ろ身頃部の長さ調整部２９を構成している。なお、ループ２５Ａとフック２５Ｂによる長さ調整だけでなく、紐の締結や各種係止具等の調整手段を採用しても良い。
【００１７】
図１に示す左右のストラップ部２６は、左右のカップ部２０と、左右の後ろ身頃部２４，２４をそれぞれ連結し、カップ部２０を支えて、位置ずれを防ぐための伸縮性を有する紐状部材である。図１の左右のストラップ部２６，２６の途中には、プラスチック製の長さ調整部２６Ａ，２６Ａを有しており、左右のストラップ部２６，２６は、それぞれ使用者Mの体型に応じて長さの調整を行うことができる。各ストラップ部２６，２６は、連結具１５０をそれぞれ有している。
【００１８】
図１に示す左右のカップ部２０，２０は、図２に示すように左右のカップ本体５０，５０をそれぞれ備えている。前身頃部４０は、左右のカップ部２０，２０を連結し、乳房を下側から支えるための部分である。前身頃部４０の中央領域には、上方にくぼんだ凹形状部分４０Ａが形成されており、この凹形状部分４０Ａが腹部をよけるように上方に湾曲することにより、前身頃部４０が使用者Ｍの腹部へ圧迫力を与えるのを防いでいる。
【００１９】
前身頃部４０の外側縁部３１，３１には、左右の後ろ身頃部２４と略同等の幅とされ、保持するための補強部となるワイヤー部３１Ａ，３１Ａを介して、左右の後ろ身頃部２４の端部が縫合して連結されている。
図１に示すように前身頃部４０は、カップ本体５０，５０に対応して、ワイヤー部６１，６１を有している。左右のワイヤー部６１，６１は、カップ本体５０の下側に対応するように湾曲状に形成されていて、乳房１１，１１の下側を支えるものである。ワイヤー部６１，６１は、例えば弾性変形可能なプラスチック等により作られている。カップ部２０，２０側に各ワイヤー部６１が設けられることで、確実にカップ部２０の形状を保持しつつ、乳房やその外側の肉が、背中側に逃げてしまうことを防ぎ、乳房の形状を補正した状態に保つ。
【００２０】
次に、カップ本体５０，５０における授乳機能についてさらに説明する。
左右のカップ本体５０，５０は、それぞれ開閉可能に設けられている。図２に示す各カップ本体５０の上縁部５０Ｅは、対応するストラップ部２６に対して連結具１５０により着脱可能に連結されている。
【００２１】
図２に示すように、左右のストラップ部２６，２６の一端部２６Ｇ，２６Ｇは、それぞれ後ろ身頃部２４，２４の上部１００側に対して縫合されている。左右のストラップ部２６，２６の他端部２６Ｈ，２６Ｈは、左右のカップ部２０の内側において下側で縫合されている。なお、左右のストラップ部２６の他端部２６Ｈ側を、乳首を避けた形の伸縮性を有する幅広な面状形態として、ホールド性を高めた構成としてもよい。
【００２２】
図２において左右のストラップ部２６，２６の途中部分には、上述した連結具１５０，１５０が設けられており、この連結具１５０において連結を外すことにより、図１に例示するように、左右の上縁部５０Ｅが取り外せる。このような連結具１５０，１５０の連結解除により、図２に示すストラップ部２６の延長部分２６Ｊとカップ本体５０の上縁部５０Ｅを分離することができる。この延長部分２６Ｊ，２６Ｊは乳首１１Ａの外側を通るように配置されている。
【００２３】
図１では、左側の連結具１５０を外し、左側のストラップ部２６からカップ本体５０の上縁部５０Ｅが取り外されて、下側にめくり始めた状態を示している。これによって、左側の乳房１１の乳首１１Ａは、カップ本体５０から露出することができるので、授乳用ブラジャー１０は授乳可能な状態になる。
【００２４】
次に、図１と図２に示す左右の後ろ身頃部２４，２４の構造例について説明する。
図３は、後ろ身頃部２４，２４におけるＡ−Ａ線における断面図である。図４は、第１層部１２１と第２層部１２２の一部分を示している。図２と図３に示すように、後ろ身頃部２４は上から上部１００、中央部１０１、下部１０２を有している。後ろ身頃部２４は、第１層部１２１、第２層部１２２およびゴム部材１２３を有している。後ろ身頃部２４の上部１００は、第１層部１２１、第２層部１２２およびゴム部材１２３を縫合せ部分１４９により縫合して構成されている。第１層部１２１は上部１００においては、折り返し部１２４を有しており、第１層部１２１の上部分１２５、折り返し部１２４、第２層部１２２の上端部１２２Ａ、ゴム部材１２３を重ね合わせて縫合した構造である。
【００２５】
第１層部１２１と第２層部１２２は積層されている。すなわち第２層部１２２は、第１層部１２１の裏面１２７側に配置されている。
第１層部１２１は、少なくとも一辺が縁処理不要な部分を有する伸縮性素材である。なお、上部１００もゴム部材１２３等を使用せず、折り返し部１２４を設けない縁処理不要な部分としてもよい。この第１層部１２１は、比較的薄い生地とされ、伸縮性を有する生地を使用することが好ましく、たとえばヘム生地を採用することができる。図３と図４に示すように、この第１層部１２１の下端部１２６は、縁処理が不要な部分であり、縁の始末（ヘミングのこと）をしないで済むよう、あらかじめ縁処理を生地作成段階で施した部分である。この第１層部１２１は、中央部１０１から縁処理不要部である下部１０２にかけて強度（伸長時における戻る力）が大きくなっていることが好ましい。
【００２６】
第２層部１２２は、第１層部１２１に比べてより大きい伸縮性を有している。第２層部１２２としては、各種パワーネット、サテンネット、トリコット等のようなストレッチ素材を採用している。第２層部１２２は、第１層部１２１の強度を補強するために積層して配置されている。第２層部１２１と第２層部１２２は、ともに図４の水平方向、垂直方向、そして斜め方向にも伸縮できるため、身体の動きに応じてフィットすること等ができる。
【００２７】
図３と図４に示すように、第１層部１２１の下端部（縁処理不要な部分）１２６は、第２層部１２２の下端部１２２ＢよりもＺ方向下向きに延伸されている。第１層部１２１の下端部１２６よりも上の部分と、第２層部１２２の下端部１２２Ｂが、縫合せ部分１５０により縫合されている。これによって下端部１２６は、下端部１２２Ｂよりも下方に延伸していてかつ開放部分１５１になっている。
第１層部１２１の上部１２５、中央部１２９、下部１３０は、上部１２５から下部１３０にいくに従って、強度（衣服圧）が大きくなるように作られている。
【００２８】
ここで、図２と図３に示す左右の後ろ身頃部２４，２４について衣服圧の測定結果例について説明する。
ブラジャー２０は、試験器具として衣服圧測定装置（株式会社エイエムアイ・テクノ社製ＡＭＩ３０３７−１０）を使用して、後ろ身頃部２４の図３に示す上部１００、中央部１０１および下部１０２においてそれぞれ衣服圧の強度を測定した。この際にブラジャー１０を装着した被験者は立ったり座ったりして動いた。
この結果、後ろ身頃部２４の上部１００では、たとえば０．８５ないし０．９８ｋＰａの衣服圧を発生し、中央部１０１では、１．２５ないし１．４２ｋＰＡの衣服圧を発生し、下部１０２では、１．６０ないし２．００ｋＰａの衣服圧が得られた。
【００２９】
このことから、図２に示す後ろ身頃部２４の上部１００、中央部１０１、下部１０２における衣服圧（強度）については、次のようなことが言える。上部１００の衣服圧は、中央部１０１の衣服圧より小さく、中央部１０１の衣服圧は下部１０２の衣服圧より小さい。このことから、上部１００、中央部１０１、下部１０２のそれぞれの衣服圧（強度）は、弱・中・強の関係になっていることが確認された。つまり、下部側１０２で確実にホールドしつつ、全体的にフィットするよう構成されている。
【００３０】
本発明の実施形態では、第１層部１２１の縁処理不要な部分である下端部１２６が、第２層部１２２の下端部１２２Ｂより下方に延伸されていることから、最も衣服圧の高い後ろ身頃部２４の下部１０２には縫い目が無い。このために図１の使用者Ｍがブラジャー１０を装着してその上に薄い服を着ても、後ろ身頃部２４の下部１０２が目立たずない。しかも、第１層部１２１の縁処理不要な部分が縫い目を有していないことから、後ろ身頃部２４の下部１０２における使用者Ｍの肌当たりを良くすることができる。
第１層部１２１に対して、上部１００から下部１０２上方にかけて、より伸縮性の大きい第２層部１２２を重ねることで後ろ身頃部２４を構成することにより、ブラジャー１０を繰り返し使用した場合において第１層部１２１が裂けてしまうのを第２層部１２２が防止できる、しかも、第１層部１２１に対して第２層部１２２を重ねて積層して構成することにより、第１層部１２１の中央部１０１等における伸縮力を補って、使用者の乳房１１のサポート力を面状で全体的に向上でき、バランスよく保持することができる。
【００３１】
後ろ身頃部２４の下部１０２側のサポート力は、中央部および上部に比べて大きくできる。後ろ身頃部２４の下部１０２は上部１００に比べて強くなっていて、後ろ身頃部２４の下部１０２は上部１００に比べてより強くサポートをすることができる。しかも、第２層部１２２が後ろ身頃部２４の下部１０２の途中まで配置されていることから、第１層部１２１の縁処理不要な部分が直接肌に当たり、後ろ身頃部２４の下部１０２の端部では縫い目が無いことから、肌当たりを良くすることができる。
【００３２】
本発明は上記実施形態に限定されるものではない。
例えば、本実施の形態では、授乳用ブラジャーの構成だったが、授乳用機能を有さない、一般的に広く使用されるブラジャーであってもよい。
また、後ろ身頃部における強度を調整することで、ストラップ部を有さない構成や、ストラップ部を着脱可能としている、所謂ストラップレスブラに採用してもよく、ストラップ部が後ろ身頃部や前身頃部と一体とされたタイプのスポーツブラに採用してもよい。
さらにまた、端部処理不要の第１層部の裏面に伸縮性を有する第２層部を配置するのではなく、第１層部の表面に第２層部を配置してもよく、各層を縫合ではなく接着等によって一体としてもよい。
【００３３】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
【図面の簡単な説明】
【００３４】
【図１】本発明のブラジャーの好ましい実施形態を示しており、使用者が着用している状態を示す斜視図。
【図２】図１のブラジャーの正面から見た展開図。
【図３】図２のブラジャーの後ろ身頃のＡ−Ａにおける断面図。
【図４】第１層部と第２層部を重ね合わせた状態を示す図。
【符号の説明】
【００３５】
１０・・・ブラジャー、２０・・・左右のカップ部、２４・・・後ろ身頃部、２６・・・左右のストラップ部、１００・・・後ろ身頃部の上部、１０１・・・後ろ身頃部の中央部、１０２・・・後ろ身頃部の下部
【図１】
2006144181.tif 000003
【図２】
2006144181.tif 000004
【図３】
2006144181.tif 000005
【図４】
2006144181.tif 000006